(57)【要約】      （修正有）【課題】電動髭剃り機としても使用することができ、且つ部材の交換が容易な爪研磨機を提供すること。【解決手段】本体（１０）及び該本体（１０）に突設される回転可能な伝動ロッド（１１）を有する動力機構（１）と、裏側中央に前記伝動ロッド（１１）と連結可能な連結スリーブが設けられると共に、表側に研磨ブロック（２１）が固設される回転部材と、前記回転部材の上方から前記動力機構（１）に螺合されると共に、少なくとも１つの貫通孔（３２）を有するカバー体（３）とからなる。【選択図】図１
0003112889.tif 000002
【実用新案登録請求の範囲】
【請求項１】
本体（１０）及び該本体（１０）に突設される回転可能な伝動ロッド（１１）を有する動力機構（１）と、
裏側中央に前記伝動ロッド（１１）と連結可能な連結スリーブ（２３）が設けられると共に、表側に研磨ブロック（２１）が固設される回転部材（２）と、
前記回転部材（２）の上方から前記動力機構（１）に螺合されると共に、少なくとも１つの貫通孔（３２）を有するカバー体（３）とからなることを特徴とする爪研磨機。
【請求項２】
前記回転部材（２）の壁面に複数の孔（２２）が形成されることを特徴とする請求項１に記載の爪研磨機。
【請求項３】
前記カバー体（３）に２つの貫通孔（３２）が形成されると共に、雄ねじ（３１）が設けられ、前記動力機構（１）には凹溝（１３）が形成されると共に、該凹溝（１３）の内壁に雄ねじ（３１）と対応する雌ねじ（１３１）が形成されることを特徴とする請求項２に記載の爪研磨機。
【考案の詳細な説明】
【技術分野】
【０００１】
本考案は爪研磨機に関し、特に電動髭剃り機としても使用することができ、且つ部材の交換が容易な爪研磨機に関するものである。
【背景技術】
【０００２】
一般の電動髭剃り機は、髭剃りのカバー体上に形成された貫通孔から入り込んだ髭を、カバー体の下方に設けられる刃を回転させることにより切断するものであり、この種の電動髭剃り機は、主にモータの伝動ロッド上に刃が設けられ、該刃の外部にカバー体が嵌合される構成である。また、一般に爪を切る時は、爪切りにより爪を徐々に切り揃えていくのが普通である。
【考案の開示】
【考案が解決しようとする課題】
【０００３】
上述したように、従来では、髭を剃る時或いは爪を切る時は、それぞれ専用の機器を購入する必要があったので、経済的ではなく、実用性にも優れなかった。故に、消費者からそれら2つの機能を兼ね備えた機器が要望されていた。
【課題を解決するための手段】
【０００４】
本願の第１考案は、本体及び該本体に突設される回転可能な伝動ロッドを有する動力機構と、裏側中央に前記伝動ロッドと連結可能な連結スリーブが設けられると共に、表側に研磨ブロックが固設される回転部材と、前記回転部材の上方から前記動力機構に螺合されると共に、少なくとも１つの貫通孔を有するカバー体とからなることを特徴とする爪研磨機を提供する。
本願の第２考案は、前記回転部材の壁面に複数の孔が形成されることを特徴とする前記第１考案に記載の爪研磨機を提供する。
本願の第２考案は、前記カバー体に２つの貫通孔が形成されると共に、雄ねじが設けられ、前記動力機構には凹溝が形成されると共に、該凹溝の内壁に雄ねじと対応する雌ねじが形成されることを特徴とする前記第２考案に記載の爪研磨機を提供する。
【考案の効果】
【０００５】
本考案は上記の課題を解決するものであり、動力機構の伝動ロッド上に回転部材が取付けられ、該回転部材上に研磨ブロックが固設されると共に、その外側にカバー体が取付けられ、更に該カバー体に研磨ブロックと通じる少なくとも１つの貫通孔を有する構成であるので、使用者は、該貫通孔から爪を差し込むことにより、爪の形を整え且つ研磨することができる。
【０００６】
上述したように、本考案では研磨ロッドを有する回転部材を用いることから、更に動力機構を必要としないので、非常に経済的である。
【０００７】
更に、本考案では、前記の目的を達成するために、動力機構を用い、該動力機構上に外側へ伸びる伝動ロッドが設けられ、該伝動ロッド上に回転部材が取付けられると共に、該回転部材上に円形の研磨ブロックが設けられ、更に動力機構に回転部材をカバーするカバー体が螺合されるので、使用者は、カバー体上に形成される貫通孔から爪を差し込むことにより、安全に爪の形を整えることができ、且つより奇麗に爪を研磨することができる。
【０００８】
また、本考案は、研磨ブロックを備えた回転部材を、刃を備えた髭剃り用の回転部材と交換すると共に、カバー体を、複数の小さな貫通孔を有するカバー体に交換することにより、髭剃りとしても使用することができるので、使用利便性及び実用性に優れている。
【考案を実施するための最良の形態】
【０００９】
以下、添付図面を参照して本考案の好適な実施の形態を詳細に説明する。
【実施例】
【００１０】
図１は本考案に係る爪研磨機の分解斜視図であり、図２は本考案に係る爪研磨機における回転部材の連結スリーブを示す斜視図であり、図３は本考案に係る爪研磨機の部分側面断面図であり、本考案に係る爪研磨機の斜視図であり、図５は本考案に係る爪研磨機に髭剃り用アタッチメントを取付けた状態を示す斜視図である。
【００１１】
図１に示すように、本考案の爪研磨機は、動力機構（１）、回転部材（２）、及びカバー体（３）からなり、その内、動力機構（１）は、本体（１０）、該本体（１０）の一端に形成される凹溝（１３）、該凹溝（１３）の底面から突出するように設けられる伝動ロッド（１１）、及び本体（１０）の外表面に設けられ、電源のON・OFF状態の切換えを行い、伝動ロッド（１１）の回転を制御するスイッチ（１２）からなる。
【００１２】
図１及び図２に示すように、前記回転部材（２）の上面に研磨ブロック（２１）が固設されると共に、回転部材（２）の上部周縁に複数の孔（２２）が形成され、回転部材（２）における、研磨ブロック（２１）と反対する面に、伝動ロッド（１１）と対応する中空の連結スリーブ（２３）が設けられる。
【００１３】
図３に示すように、本考案を組合わせる時は、前記回転部材（２）の連結スリーブ（２３）を伝動ロッド（１１）に嵌め込むと共に、該回転部材（２）をカバーするように、雄ねじ（３１）を雌ねじ（１３１）に螺合することによりカバー体（３）を動力機構（１）に取付ればよい。
【００１４】
更に、本考案では、カバー体（３）上に研磨ブロック（２１）の表面に通じる少なくとも１つ（好ましくは、２つ）の貫通孔（３２）が形成されるので、使用者は、少なくとも１つの貫通孔（３２）内に爪を挿入し、スイッチ（１２）をON状態にして、回転部材（２）を起動させれば、爪の研磨ブロック（２１）と接触する部分が研磨される。故に、本考案の爪研磨機を採用すれば、使用者の好みに合わせて爪の形状や長さを調整することができる。また、研磨により発生する爪の粉末は、孔（２２）を介して回転部材（２）や凹溝（１３）に集められる。
【００１５】
図５に示すように、本考案の爪研磨機を電動髭剃り機として使用したい場合は、単にカバー体（３）及び回転部材（２）を動力機構（１）から取外し、代わりに一般の電動髭剃り機の刃を備えた髭剃り用回転部材（図示せず）及び複数の小さな貫通孔（３２´）を有するカバー体（３´）を取付ければ、電動髭剃り機として使用することができる。
【００１６】
尚、上述した実施形態は単に本考案の一部の形態であり、本明細書に示す主張の範囲内であれば如何なる形態に構成させてもよく、また、容易に想到し得る範囲内であれば、当然本考案の主張範囲に属することは言うまでもない。
【図面の簡単な説明】
【００１７】
【図１】本考案に係る爪研磨機の分解斜視図である。
【図２】本考案に係る爪研磨機における回転部材の連結スリーブを示す斜視図である。
【図３】本考案に係る爪研磨機の部分側面断面図である。
【図４】本考案に係る爪研磨機の斜視図である。
【図５】本考案に係る爪研磨機に髭剃り用アタッチメントを取付けた状態を示す斜視図である。
【符号の説明】
【００１８】
１・・・・・・動力機構
１０・・・・・本体
１１・・・・・電動ロッド
１２・・・・・スイッチ
１３・・・・・凹溝
１３１・・・・雄ねじ
２・・・・・・回転部材
２１・・・・・研磨ブロック
２２・・・・・孔
２３・・・・・連結スリーブ
３，３´・・・カバー体
３１・・・・・雌ねじ
３２，３２´・・・貫通孔
【図１】
0003112889.tif 000003
【図２】
0003112889.tif 000004
【図３】
0003112889.tif 000005
【図４】
0003112889.tif 000006
【図５】
0003112889.tif 000007